(57)【特許請求の範囲】
【請求項１】
一端に形成される突出開口と、一側面に穿設される移動通路と、該移動通路の両側壁部にそれぞれ間隔をおいて凹設される複数の位置決め凹部とを備える本体と、
前記本体に収容される移動装置と、
前記移動通路と垂直すると共に、選択可能に前記複数の位置決め凹部の何れか１つに対応して係合される位置決め部を備え、前記移動装置と連動する位置決め弾性部材と、
前記突出開口と対応する転写ヘッドを有すると共に、前記移動装置に連動して装着されるように、前記本体に収納される芯テープ装置と、
摺動可能に前記本体の移動通路に位置すると共に、前記移動装置と連動するように、選択可能に前記位置決め弾性部材の位置決め部を押圧して対応する位置決め凹部から離間させ、該移動装置を本体に対して移動させるボタンとを有することを特徴とする位置決め可能なボタンを備える薄膜転写具。
【請求項２】
前記移動装置の側面から延設されると共に、前記移動通路に収容されるように、それぞれ前記位置決め弾性部材の位置決め部の両側に位置する第一側板及び第二側板と、
前記ボタンの内面に形成されると共に、前記第一側板と第二側板との間に位置する第一凸部及び第二凸部とを有することを特徴とする請求項１に記載の位置決め可能なボタンを備える薄膜転写具。
【請求項３】
それぞれ前記第一側板及び第二側板の上部と下部に設置される２つの導引側板を有することを特徴とする請求項２に記載の位置決め可能なボタンを備える薄膜転写具。
【請求項４】
前記本体は、前ハーフ・ケーシングと、後ハーフ・ケーシングとからなり、該前ハーフ・ケーシングは、一端に前記突出開口が形成され、他端に結合開口が形成され、一側面に装着孔が形成され、該後ハーフ・ケーシングは、一端が該結合開口に挿設されるように該前ハーフ・ケーシングに組み合わされると共に、該装着孔と対応する側面に前記移動通路及び複数の位置決め凹部が形成されることを特徴とする請求項３に記載の位置決め可能なボタンを備える薄膜転写具。
【請求項５】
前記前ハーフ・ケーシングにおける装着孔の周囲に当接縁部が形成され、
前記後ハーフ・ケーシングに、前記当接縁部に当接する装着部が形成されることを特徴とする請求項４に記載の位置決め可能なボタンを備える薄膜転写具。
【請求項６】
前記移動装置は、それぞれ前記位置決め部の両側に位置するように、前記移動通路に面する側面に形成されると共に、前記移動通路に収容される第一フレーム及び第二フレームを有し、その内、第一フレームに第一当接縁部が凸設され、該第二フレームに第二当接縁部が凸設され、
前記ボタンの内面に、前記第一フレームに収容されると共に、前記第一当接縁部に当接可能な第一凸部と、前記第二フレームに収容されると共に、前記第二当接縁部に当接可能な第二凸部とが設けられることを特徴とする請求項１に記載の位置決め可能なボタンを備える薄膜転写具。
【請求項７】
前記第一フレームは、上下に相対すると共に、互いに平行する２つの第一プレートからなり、
前記第二フレームは、上下に相対すると共に、互いに平行する２つの第二プレートからなり、
前記第一凸部は、前記２つの第一プレートの間に位置し、
前記第二凸部は、前記２つの第二プレートの間に位置することを特徴とする請求項６に記載の位置決め可能なボタンを備える薄膜転写具。
【請求項８】
前記本体は、前ハーフ・ケーシングと、後ハーフ・ケーシングとからなり、その内、前ハーフ・ケーシングは、一端に前記突出開口が形成され、他端に結合開口が形成され、一側面に装着孔が形成され、該後ハーフ・ケーシングは、一端が該結合開口に挿設されるように該前ハーフ・ケーシングに組み合わされ、該装着孔と対応する側面に前記移動通路及び複数の位置決め凹部が形成されることを特徴とする請求項７に記載の位置決め可能なボタンを備える薄膜転写具。
【請求項９】
前記前ハーフ・ケーシングにおける前記装着孔の周囲に当接縁部が形成され、
前記後ハーフ・ケーシングに、前記当接縁部に当接される装着部が形成されることを特徴とする請求項８に記載の位置決め可能なボタンを備える薄膜転写具。
【請求項１０】
前記ボタンにおける、前記第一凸部と第二凸部との面する箇所にそれぞれ形成される傾斜面が前記位置決め弾性部材の位置決め部を収容するための収納凹部を囲むことを特徴とする請求項２、３、６、７の何れか１項に記載の位置決め可能なボタンを備える薄膜転写具。
【請求項１１】
前記移動通路と反対する移動装置の側面に芯テープ装着柱が形成され、
前記芯テープ装置が該芯テープ装着柱に装着されることを特徴とする請求項１０に記載の位置決め可能なボタンを備える薄膜転写具。
【請求項１２】
前記移動装置と、前記ボタンと、前記位置決め弾性部材とを一体成形に構成する統合部材を有し、前記芯テープ装置は、該統合部材と組み合わされることを特徴とする請求項１に記載の位置決め可能なボタンを備える薄膜転写具。
【請求項１３】
前記本体は、前記移動通路が前記突出開口と反対する端に貫通され、該移動通路の両側にそれぞれ面するように延設さるレールと、該２つのレールにそれぞれ間隔をおいて凹設される前記複数の位置決め凹部とを有し、
前記移動装置は、前記本体に収容されると共に、位置決め収容孔が形成され、
前記ボタンは、一端が前記移動装置と連接する連接段が形成され、該連接段の相対する両側にそれぞれ前記レールと対応する切欠き口が形成され、他端が前記位置決め収容孔側まで延出され、さらに、前記ボタンにおける相対する両側にそれぞれ、押圧されると該切欠き口と一直線となるように排列される弾性対応凹部が形成され、
前記位置決め弾性部材は、前記ボタンの他端内面に一体成形に形成されると共に、選択可能に前記位置決め収容孔、或いは、複数の位置決め凹部の何れか１つに係合される位置決め部を有することを特徴とする請求項１２に記載の位置決め可能なボタンを備える薄膜転写具。
【請求項１４】
前記芯テープ装置の転写ヘッドと反対する他端に、消しゴムの装着可能な固定装置が設置されることを特徴とする請求項１３に記載の位置決め可能なボタンを備える薄膜転写具。
【請求項１５】
前記固定装置は、消しゴムを挟持可能な前記芯テープ装置に設置される挟持部と、脱着可能に該挟持部及び本体に設置される導引部と、消しゴムを引き出すための、該導引部の後端端面に形成される開口とを備えることを特徴とする請求項１４に記載の位置決め可能なボタンを備える薄膜転写具。
【請求項１６】
前記本体は、前記突出開口と反対する他端に設置凹部が形成され、
前記設置凹部に固定装置が設置され、該固定装置は、開口と、挟持部と、導引部とを備え、その内、該開口は、前記本体と反対する外端に形成され、該挟持部は、引き出し可能に前記本体の設置凹部に設置されると共に、消しゴムを挟持するための２つの相対する押圧凸部が凸設され、該導引部は、前記挟持部に形成されると共に、前記固定装置の開口と挟持部との間に適当な距離を形成することにより、消しゴムの変形を緩やかにすることを特徴とする請求項１に記載の位置決め可能なボタンを備える薄膜転写具。
【請求項１７】
前記固定装置は、脱着可能に前記本体の設置凹部に設置され、
前記挟持部は、対応する２つの側面にそれぞれ弾力アームが形成され、該各弾力アームは、一端が挟持部の内端と一体成形に連接され、他端が挟持部の外端に向かって延出されると共に、他端に前記押圧凸部が凸設されることを特徴とする請求項１６に記載の位置決め可能なボタンを備える薄膜転写具。
【請求項１８】
前記本体は、前記設置凹部の内面に向かって係合部が設けられ、
前記挟持部は、内端の外面に前記係合部に係合される結合部が形成されることを特徴とする請求項１７に記載の位置決め可能なボタンを備える薄膜転写具。
【請求項１９】
前記係合部は、前記設置凹部の内面に向かって設けられる２対の係合凹部であり、
前記結合部は、前記挟持部の内端の外面に凸設されると共に、それぞれ前記係合凹部に係合される２対の位置決めポイントであることを特徴とする請求項１８に記載の位置決め可能なボタンを備える薄膜転写具。
【請求項２０】
前記挟持部は、相対する側壁における中央に横方向に弾性溝部が形成されると共に、該挟持部が２つのハーフ・フレームに分割され、
前記２つの弾力アームはそれぞれ、前記２つのハーフ・フレームに形成されることを特徴とする請求項１７乃至１９項の何れか１項に記載の位置決め可能なボタンを備える薄膜転写具。
【請求項２１】
前記固定装置は、前記挟持部の外端に周設されると共に、前記設置凹部の収容開口に位置するように前記本体に当接される止め縁部を備えることを特徴とする請求項１９に記載の位置決め可能なボタンを備える薄膜転写具。
【請求項２２】
前記固定装置をカバーするためのキャップを有することを特徴とする請求項２０に記載の位置決め可能なボタンを備える薄膜転写具。
【請求項２３】
前記係合部はそれぞれ、前記設置凹部の内面に向かって延出されたフック状の片体であり、
前記結合部は、２対の位置決めポイントであり、各対の位置決めポイントはそれぞれ前記係合部に係合されると共に、前記挟持部の外側面に凸設されることを特徴とする請求項１８に記載の位置決め可能なボタンを備える薄膜転写具。
【請求項２４】
前記挟持部は、互いに対応する２つの挟み片体であり、該２つの挟み片体の一端にそれぞれ、内側に向かって互いに面するように押し縁部が延設され、
前記２つの弾力アームはそれぞれ、前記２つの挟み片体に形成されることを特徴とする請求項２３に記載の位置決め可能なボタンを備える薄膜転写具。
【請求項２５】
前記固定装置をカバーするためのキャップを有することを特徴とする請求項１６、１７、１８、２３、２４の何れか１項に記載の位置決め可能なボタンを備える薄膜転写具。
【請求項２６】
前記固定装置は、導引管と、移動部材と、回転管とを有し、その内、導引管は前記導引部であり、内部に消しゴムを挿設させるための細長の通路が形成されると共に、対応する両側の側壁にそれぞれ長手方向に沿って導引溝部が形成され、
前記移動部材は、前記挟持部であり、摺動可能に前記導引管の通路に設置され、また、両側にそれぞれ形成される、消しゴムを挟持するための前記押圧凸部と、両側にそれぞれ形成される、前記導引管の２つの導引溝部と対応する螺合凸歯とを備え、
前記回転管は、内周面に形成され、且つ回転可能に前記導引管に環装され、前記移動部材の螺合凸歯に螺合されるねじ山と、外端に形成されると共に、回転すると前記移動部材を移動させて消しゴムの突出された長さを調整できる回転環部とを備えることを特徴とする請求項１６に記載の位置決め可能なボタンを備える薄膜転写具。
【請求項２７】
前記移動部材は、前記導引管の通路に設置される板体と、それぞれ該板体の両側に形成されると共に、前記導引管の導引溝部と対応して設置される２つの挟持翼片とを備え、
前記押圧凸部は、それぞれ前記挟持翼片の内側面に凸設され、
前記螺合凸歯は、それぞれ前記挟持翼片の外側面に凸設されることを特徴とする請求項２６に記載の位置決め可能なボタンを備える薄膜転写具。
【請求項２８】
前記固定装置は、ケースを有し、
前記導引管は、前記ケースと離間するように、ケースの内部に位置するものであり、内端が前記ケースの内端と連接すると共に、他端がケースから外部へ突出し、
前記回転環部は、前記導引管とケースとの間に位置することを特徴とする請求項２６又は２７に記載の位置決め可能なボタンを備える薄膜転写具。
【請求項２９】
前記本体における設置凹部の内面に向かって係合部が設けられ、
前記ケースは、内端に前記係合部に係合される結合部が形成されることを特徴とする請求項２８に記載の位置決め可能なボタンを備える薄膜転写具。
【請求項３０】
前記係合部は、前記設置凹部の内面に向かって設けられる２対の係合凹部であり、
前記結合部は、前記ケースの外面に凸設されると共に、それぞれ前記係合凹部に係合される２対の位置決めポイントであることを特徴とする請求項２９に記載の位置決め可能なボタンを備える薄膜転写具。
【請求項３１】
前記ケースは、側壁の中央に横方向に弾性溝部が形成されると共に、２つのハーフ・フレームに分割されることを特徴とする請求項３０に記載の位置決め可能なボタンを備える薄膜転写具。
【請求項３２】
前記固定装置は、前記ケースの外端に周設されると共に、前記設置凹部の収容開口に位置するように前記本体に当接される止め縁部を備えることを特徴とする請求項３１に記載の位置決め可能なボタンを備える薄膜転写具。
【請求項３３】
前記導引管は、他端が前記止め縁部を通過し、
前記回転環部は、前記止め縁部に当接されることを特徴とする請求項３２に記載の位置決め可能なボタンを備える薄膜転写具。
【請求項３４】
前記２つの導引溝部はそれぞれ、前記ケースに形成される弾性溝部と対応すると共に、前記ケースの内端から外端に向かって前記止め縁部を超えるように延出することを特徴とする請求項３３に記載の位置決め可能なボタンを備える薄膜転写具。
【請求項３５】
前記固定装置をカバーするためのキャップを有することを特徴とする請求項２８に記載の位置決め可能なボタンを備える薄膜転写具。
【請求項３６】
前記ケースは、側壁の中央に横方向に弾性溝部が形成されると共に、２つのハーフ・フレームに分割されることを特徴とする請求項２８に記載の位置決め可能なボタンを備える薄膜転写具。
【請求項３７】
前記固定装置は、前記ケースの外端に周設されると共に、前記設置凹部の収容開口に位置するように前記本体に当接される止め縁部を備えることを特徴とする請求項３６に記載の位置決め可能なボタンを備える薄膜転写具。
【請求項３８】
前記２つの導引溝部はそれぞれ、前記ケースに形成される弾性溝部と対応すると共に、前記ケースの内端から外端に向かって前記止め縁部を超えるように延出することを特徴とする請求項３６に記載の位置決め可能なボタンを備える薄膜転写具。
【請求項３９】
前記移動通路と反対する移動装置の側面に芯テープ装着柱が形成され、
前記芯テープ装置は、該芯テープ装着柱に装着されることを特徴とする請求項１乃至９の何れか１項に記載の位置決め可能なボタンを備える薄膜転写具。
【発明の詳細な説明】
【技術分野】
【０００１】
本発明は塗膜転写具に関し、特に位置決め可能なボタンによって転写ヘッドの突出や収納を制御可能な塗膜転写具に関するものである。
【背景技術】
【０００２】
既存の塗膜転写具は、移動手段によって、転写ヘッドをケースから突出させ、或いは、ケースに収納させ、使用時には、誤記箇所にテープを転写することにより、その上から再び書き直すことができるものである。例えば、図２９及び図３０に示すように、文献１の「塗膜転写器」は、移動手段によって転写ヘッドを制御するものであり、それによれば、ケーシング５０の内部に芯テープ装置５１が設置され、該ケーシング５０の一側面に長形の導引溝部５３が形成され、該導引溝部５３における後端両側の壁部にそれぞれ第一係合凹部５３０が凹設され、該導引溝部５３における中段両側の壁部にそれぞれ第二係合凹部５３１が凹設される構造である。
【０００３】
さらに、前記芯テープ装置５１と連動すると共に、ケーシング５０の導引溝部５３に沿って前後移動可能なボタン５４が設置され、このボタン５４には、導引溝部５３に位置するように、内側面に横方向にＶ字形或いはＹ字形を呈する弾性位置決め部材５４０が設けられ、該弾性位置決め部材５４０の両端には略弾性を備えることから、該ボタン５４の移動によって、それぞれ第一係合凹部５３０、或いは第二係合凹部５３１にまで伸びて係合されるので、該ボタン５４により芯テープ装置５１を移動させて転写ヘッドをケーシング５０から突出させたり、或いは、ケーシング５０に収納させたりすることができる。
【０００４】
また、既存の修正テープ装置などの塗膜転写具は、機能性を高めるために、修正テープ装置における本体に消しゴムが設けられた商品が開発された。例えば、図３１に示す文献２の「両用の修正テープ」は、本体６０の後端に収容凹部６１が形成され、該収容凹部６１に消しゴム６２が嵌設され、且つ、該消しゴム６２の汚れを防ぐために、本体６０の後端に脱着可能なキャップ６３が設けられている。
【０００５】
上述の消しゴムを装着した修正テープ装置を使用する時は、修正テープ装置の使用可能状態から前後方向に交換させれば、後端の消しゴムを利用でき、また、該消しゴムは、本体にしっかりと嵌設されているので、紛失することはない。
【０００６】
【特許文献１】文献１：台湾特許公開第２００７２０１０９号文献２：台湾実用新案公開第３２３９９５号
【発明の概要】
【発明が解決しようとする課題】
【０００７】
しかしながら、文献１に示したような既存の修正テープ装置は、弾性位置決め部材５４０の弾性によって、横方向にＶ字形或いはＹ字形の弾性位置決め部材５４０の両端が導引溝部５３の両側の壁部に押圧されるので、ボタン５４を導引溝部５３に沿って移動されることができるが、ボタン５４の前後移動においては、弾性位置決め部材５４０の両端に対する導引溝部５３の両側壁部の押圧圧力が異なるので、ボタン５４の移動がうまく行かない虞があるという問題があった。
【０００８】
さらに、前記ボタン５４が芯テープ装置５１を移動させる時、前記弾性位置決め部材５４０の両端が第二係合凹部５３１、或いは、第一係合凹部５３０まで伸びて係合されるので、芯テープ装置５１を位置決めすることができる。しかし、位置決めこの方法では位置決め効果が低下するだけでなく、該芯テープ装置５１から突出する転写ヘッドを用いて少し力を入れて修正テープを引き出す場合、押しながら引く力が加わることから、該弾性位置決め部材５４０の両端が第二係合凹部５３１から離脱し、該転写ヘッドがケース内に押し戻されてしまうといった不安定な状態が発生するので、使用上、非常に不便であった。
【０００９】
また、文献２に示す修正テープ装置は、消しゴム６２がしかっりと本体６０に嵌設されるものであるが、その消しゴム６２を擦った時に変形しやすく、本体６０から離脱してしまう虞もあるので、固定効果が不十分であるいう問題があり、さらに、該消しゴム６２が擦られる端部の長さを調整することができない上、本体６０への収納、或いは突出も調整できなく、消しゴムの交換もできないので、改良の必要があった。
【課題を解決するための手段】
【００１０】
一端に形成される突出開口と、一側面に穿設される移動通路と、該移動通路の両側壁部にそれぞれ間隔をおいて凹設される複数の位置決め凹部とを備える本体と、
前記本体に収容される移動装置と、
前記移動通路と垂直すると共に、選択可能に前記複数の位置決め凹部の何れか１つに対応して係合される位置決め部を備え、前記移動装置と連動する位置決め弾性部材と、
前記突出開口と対応する転写ヘッドを有すると共に、前記移動装置に連動して装着されるように、前記本体に収納される芯テープ装置と、
摺動可能に前記本体の移動通路に位置すると共に、前記移動装置と連動するように、選択可能に前記位置決め弾性部材３の位置決め部を押圧して対応する位置決め凹部から離間させ、該移動装置を本体に対して移動させるボタンとを有する。
【００１１】
前記移動装置の側面から延設されると共に、前記移動通路に収容されるように、それぞれ前記位置決め弾性部材の位置決め部の両側に位置する第一側板及び第二側板と、
前記ボタンの内面に形成されると共に、前記第一側板と第二側板との間に位置する第一凸部及び第二凸部とを有する。
【００１２】
それぞれ前記第一側板及び第二側板の上部と下部に設置される２つの導引側板を有する。
【００１３】
前記本体は、前ハーフ・ケーシングと、後ハーフ・ケーシングとからなり、その内、前ハーフ・ケーシングは、一端に前記突出開口が形成され、他端に結合開口が形成され、一側面に装着孔が形成され、該後ハーフ・ケーシングは、一端が該結合開口に挿設されるように該前ハーフ・ケーシングに組み合わされると共に、該装着孔と対応する側面に前記移動通路及び複数の位置決め凹部が形成される。
【００１４】
前記前ハーフ・ケーシングにおける装着孔の周囲に当接縁部が形成され、
前記後ハーフ・ケーシングに、前記当接縁部に当接する装着部が形成される。
【００１５】
前記移動装置は、それぞれ前記位置決め部の両側に位置するように、前記移動通路に面する側面に形成されると共に、前記移動通路に収容される第一フレーム及び第二フレームを有し、その内、第一フレームに第一当接縁部が凸設され、該第二フレームに第二当接縁部が凸設され、
前記ボタンの内面に、前記第一フレームに収容されると共に、前記第一当接縁部に当接可能な第一凸部と、前記第二フレームに収容されると共に、前記第二当接縁部に当接可能な第二凸部とが設けられる。
【００１６】
前記第一フレームは、上下に相対すると共に、互いに平行する２つの第一プレートからなり、
前記第二フレームは、上下に相対すると共に、互いに平行する２つの第二プレートからなり、
前記第一凸部は、前記２つの第一プレートの間に位置し、
前記第二凸部は、前記２つの第二プレートの間に位置する。
【００１７】
前記本体は、前ハーフ・ケーシングと、後ハーフ・ケーシングとからなり、その内、前ハーフ・ケーシングは、一端に前記突出開口が形成され、他端に結合開口が形成され、一側面に装着孔が形成され、該後ハーフ・ケーシングは、一端が該結合開口に挿設されるように該前ハーフ・ケーシングに組み合わされ、該装着孔と対応する側面に前記移動通路及び複数の位置決め凹部が形成される。
【００１８】
前記前ハーフ・ケーシングにおける前記装着孔の周囲に当接縁部が形成され、
前記後ハーフ・ケーシングに、前記当接縁部に当接される装着部が形成される。
【００１９】
前記ボタンにおける、前記第一凸部と第二凸部との面する箇所にそれぞれ形成される傾斜面が前記位置決め弾性部材の位置決め部を収容するための収納凹部を囲む。
【００２０】
前記移動通路と反対する移動装置の側面に芯テープ装着柱が形成され、
前記芯テープ装置が該芯テープ装着柱に装着される。
【００２１】
前記移動装置と、前記ボタンと、前記位置決め弾性部材とを一体成形に構成する統合部材を有し、前記芯テープ装置は、該統合部材と組み合わされる。
【００２２】
前記本体は、前記移動通路が前記突出開口と反対する端に貫通され、該移動通路の両側にそれぞれ面するように延設さるレールと、該２つのレールにそれぞれ間隔をおいて凹設される前記複数の位置決め凹部とを有し、
前記移動装置は、前記本体に収容されると共に、位置決め収容孔が形成され、
前記ボタンは、一端が前記移動装置と連接する連接段が形成され、該連接段の相対する両側にそれぞれ前記レールと対応する切欠き口が形成され、他端が前記位置決め収容孔側まで延出され、さらに、前記ボタンにおける相対する両側にそれぞれ、押圧されると該切欠き口と一直線となるように排列される弾性対応凹部が形成され、
前記位置決め弾性部材は、前記ボタンの他端内面に一体成形に形成されると共に、選択可能に前記位置決め収容孔、或いは、複数の位置決め凹部の何れか１つに係合される位置決め部を有する。
【００２３】
前記芯テープ装置の転写ヘッドと反対する他端に、消しゴムの装着可能な固定装置が設置される。
【００２４】
前記固定装置は、消しゴムを挟持可能な前記芯テープ装置に設置される挟持部と、脱着可能に該挟持部及び本体に設置される導引部と、消しゴムを引き出すための、該導引部の後端端面に形成される開口とを備える。
【００２５】
前記本体は、前記突出開口と反対する他端に設置凹部が形成され、
前記設置凹部に固定装置が設置され、該固定装置は、開口と、挟持部と、導引部とを備え、その内、該開口は、前記本体と反対する外端に形成され、該挟持部は、引き出し可能に前記本体の設置凹部に設置されると共に、消しゴムを挟持するための２つの相対する押圧凸部が凸設され、該導引部は、前記挟持部に形成されると共に、前記固定装置の開口と挟持部との間に適当な距離を形成することにより、消しゴムの変形を緩やかにする。
【００２６】
前記固定装置は、脱着可能に前記本体の設置凹部に設置され、
前記挟持部は、対応する２つの側面にそれぞれ弾力アームが形成され、該各弾力アームは、一端が挟持部の内端と一体成形に連接され、他端が挟持部の外端に向かって延出されると共に、他端に前記押圧凸部が凸設される。
【００２７】
前記本体は、前記設置凹部の内面に向かって係合部が延設され、
前記挟持部は、内端の外面に前記係合部に係合される結合部が形成される。
【００２８】
前記係合部は、前記設置凹部の内面に向かって設けられる２対の係合凹部であり、
前記結合部は、前記挟持部の内端の外面に凸設されると共に、それぞれ前記係合凹部に係合される２対の位置決めポイントである。
【００２９】
前記挟持部は、相対する側壁における中央に横方向に弾性溝部が形成されると共に、該挟持部が２つのハーフ・フレームに分割され、
前記２つの弾力アームはそれぞれ、前記２つのハーフ・フレームに形成される。
【００３０】
前記固定装置は、前記挟持部の外端に周設されると共に、前記設置凹部の収容開口に位置するように前記本体に当接される止め縁部を備える。
【００３１】
前記固定装置をカバーするためのキャップを有する。
【００３２】
前記係合部はそれぞれ、前記設置凹部の内面に向かって延出されたフック状の片体であり、
前記結合部は、２対の位置決めポイントであり、各対の位置決めポイントはそれぞれ、前記係合部に係合されると共に、前記挟持部の外側面に凸設される。
【００３３】
前記挟持部は、互いに対応する２つの挟み片体であり、該２つの挟み片体の一端にそれぞれ、内側に向かって互いに面するように押し縁部が延設され、
前記２つの弾力アームはそれぞれ、前記２つの挟み片体に形成される。
【００３４】
前記固定装置は、導引管と、移動部材と、回転管とを有し、その内、導引管は前記導引部であり、内部に消しゴムを挿設させるための細長の通路が形成されると共に、対応する両側の側壁にそれぞれ長手方向に沿って導引溝部が形成され、
前記移動部材は、前記挟持部であり、摺動可能に前記導引管の通路に設置され、また、両側にそれぞれ形成される、消しゴムを挟持するための押圧凸部と、両側にそれぞれ形成される、前記導引管の２つの導引溝部と対応する螺合凸歯とを備え、
前記回転管は、内周面に形成され、且つ回転可能に前記導引管に環装され、前記移動部材の螺合凸歯に螺合されるねじ山と、外端に形成されると共に、回転すると前記移動部材を移動させて消しゴムの突出された長さを調整できる回転環部とを備える。
【００３５】
前記移動部材は、前記導引管の通路に設置される板体と、それぞれ該板体の両側に形成されると共に、前記導引管の導引溝部と対応して設置される２つの挟持翼片とを備え、
前記押圧凸部は、それぞれ前記挟持翼片の内側面に凸設され、
前記螺合凸歯は、それぞれ前記挟持翼片の外側面に凸設される。
【００３６】
前記固定装置は、ケースを有し、
前記導引管は、前記ケースと離間するように、ケースの内部に位置するものであり、内端が前記ケースの内端と連接すると共に、他端がケースから外部へ突出し、
前記回転環部は、前記導引管とケースとの間に位置する。
【００３７】
前記本体における設置凹部の内面に向かって係合部が設けられ、
前記ケースは、内端に前記係合部に係合される結合部が形成される。
【００３８】
前記係合部は、前記設置凹部の内面に向かって設けられる２対の係合凹部であり、
前記結合部は、前記ケースの外面に凸設されると共に、それぞれ前記係合凹部に係合される２対の位置決めポイントである。
【００３９】
前記ケースは、側壁の中央に横方向に弾性溝部が形成されると共に、２つのハーフ・フレームに分割される。
【００４０】
前記固定装置は、前記ケースの外端に周設されると共に、前記設置凹部の収容開口に位置するように前記本体に当接される止め縁部を備える。
【００４１】
前記導引管は、他端が前記止め縁部を通過し、
前記回転環部は、前記止め縁部に当接される。
【００４２】
前記２つの導引溝部はそれぞれ、前記ケースに形成される弾性溝部と対応すると共に、前記ケースの内端から外端に向かって前記止め縁部を超えるように延出する。
【発明の効果】
【００４３】
本発明に係る位置決め可能なボタンを備える薄膜転写具は、位置決め可能なボタンによって転写ヘッドの突出や収納を制御できると共に、消しゴムを装着可能な固定装置によって消しゴムの調整、或いは交換をすることができる薄膜転写具を提供する。
【図面の簡単な説明】
【００４４】
【図１】本発明に係る位置決め可能なボタンを備える薄膜転写具の第一実施例の斜面図である。
【図２】本発明に係る位置決め可能なボタンを備える薄膜転写具の第一実施例の部分分解図である。
【図３】本発明に係る位置決め可能なボタンを備える薄膜転写具の第一実施例の部分拡大分解図である。
【図４】本発明に係る位置決め可能なボタンを備える薄膜転写具の第一実施例において、位置決め弾性部材の位置決め部が第二位置決め凹部に係合された状態を示す部分拡大平面図である。
【図５】本発明に係る位置決め可能なボタンを備える薄膜転写具の第一実施例において、位置決め弾性部材の位置決め部が第一位置決め凹部に係合された状態を示す部分拡大断面図である。
【図６】本発明に係る位置決め可能なボタンを備える薄膜転写具の第一実施例において、ボタンの第二凸部が位置決め弾性部材の位置決め部を押圧して第二位置決め凹部から離間した状態を示す部分拡大断面図である。
【図７】本発明に係る位置決め可能なボタンを備える薄膜転写具の第一実施例において、位置決め弾性部材の位置決め部を押圧して第一位置決め凹部に係合された状態を示す部分拡大断面図である。
【図８】本発明に係る位置決め可能なボタンを備える薄膜転写具の第一実施例において、位置決め弾性部材の位置決め部を押圧して第一位置決め凹部に係合された状態を示す部分拡大平面図である。
【図９】本発明に係る位置決め可能なボタンを備える薄膜転写具の第一実施例の他の実施形態を示す部分拡大分解図である。
【図１０】本発明に係る位置決め可能なボタンを備える薄膜転写具の第一実施例の他の実施形態において、位置決め弾性部材の位置決め部を押圧して第二位置決め凹部に係合された状態を示す部分拡大断面図である。
【図１１】本発明に係る位置決め可能なボタンを備える薄膜転写具の第一実施例の他の実施形態において、位置決め弾性部材の位置決め部を押圧して第二位置決め凹部から離間した状態を示す部分拡大断面図である。
【図１２】本発明に係る位置決め可能なボタンを備える薄膜転写具の第一実施例の他の実施形態において、位置決め弾性部材の位置決め部を押圧して第一位置決め凹部に係合された状態を示す部分拡大断面図である。
【図１３】本発明に係る位置決め可能なボタンを備える薄膜転写具の第一実施例における固定装置の部分拡大分解図である。
【図１４】本発明に係る位置決め可能なボタンを備える薄膜転写具の第一実施例において、消しゴムが固定装置に装着された状態を示す部分拡大断面図である。
【図１５】本発明に係る位置決め可能なボタンを備える薄膜転写具の第二実施例における固定装置の部分拡大分解図である。
【図１６】本発明に係る位置決め可能なボタンを備える薄膜転写具の第二実施例において、消しゴムが固定装置に装着された状態を示す部分拡大断面図である。
【図１７】本発明に係る位置決め可能なボタンを備える薄膜転写具の第二実施例において、消しゴムを交換するために固定装置を引き出した状態を示す部分拡大断面図である。
【図１８】本発明に係る位置決め可能なボタンを備える薄膜転写具の第三実施例における固定装置の部分拡大分解図である。
【図１９】本発明に係る位置決め可能なボタンを備える薄膜転写具の第三実施例において、消しゴムが固定装置に装着された状態を示す部分拡大断面図である。
【図２０】本発明に係る位置決め可能なボタンを備える薄膜転写具の第三実施例において、消しゴムが突出した状態を示す部分拡大断面図である。
【図２１】本発明に係る位置決め可能なボタンを備える薄膜転写具の第四実施例における固定装置の部分拡大分解図である。
【図２２】本発明に係る位置決め可能なボタンを備える薄膜転写具の第五実施例の斜面図である。
【図２３】本発明に係る位置決め可能なボタンを備える薄膜転写具の第五実施例の分解図である。
【図２４】本発明に係る位置決め可能なボタンを備える薄膜転写具の第五実施例において、位置決め部が第二位置決め凹部に係合された状態を示す断面図である。
【図２５】本発明に係る位置決め可能なボタンを備える薄膜転写具の第五実施例の平面図である。
【図２６】本発明に係る位置決め可能なボタンを備える薄膜転写具の第五実施例において、ボタンを押圧して位置決め部が第二位置決め凹部から離間した状態を示す断面図である。
【図２７】本発明の第五実施例にいて位置決め部が第一位置決め凹部に係合される状態を示す断面図である。
【図２８】本発明の第五実施例にいて位置決め部が第三位置決め凹部に係合される状態を示す断面図である。
【図２９】文献１において、芯テープ装置の転写ヘッドの突出或いは、収納動作を示す平面図である。
【図３０】文献１において、ボタンの弾性位置決め部材が第一係合凹部から第二係合凹部に移動する状態を示す平面図である。
【図３１】文献２において、消しゴムが修正テープ装置にしっかりと嵌設される状態を示す斜面図である。
【発明を実施するための形態】
【００４５】
以下、添付図面を参照して本発明の適切な実施の形態を詳細に説明する。
【００４６】
本発明に係る位置決め可能なボタンを備える薄膜転写具は、本体の内部に芯テープ装置を設置することにより、該芯テープ装置の転写ヘッドを該本体から突出させ、或いは、収納させる調整機能を提供し、修正テープ装置や粘着テープ装置などの薄膜を予定の箇所に転写するものであり、さらに、本発明の薄膜転写具は、消しゴムを装着するための固定装置を有し、その構成によれば、消しゴムの長さを調整できると共に、新たな消しゴムに交換することができ、１つの本体に、薄膜転写と消しゴム装着の２つの機能を具備しているので、実用性を高めるものである。以下、本発明に係る複数の実施例を説明する。
【００４７】
図１乃至図３に示すように、本発明に係る位置決め可能なボタンを備える薄膜転写具の第一実施例は、本体１０と、固定装置２０と、キャップ３０とを有するものである。
【００４８】
その内、前記本体１０は、中空の長形体であり、一端に形成される突出開口１１と、一側面に穿設される細長い移動通路１２と、移動装置１３と、芯テープ装置１４と、ボタン１５とを備え、その内、移動通路１２は、該突出開口１１と近接する移動通路１２の一端に形成される第一位置決め凹部１２０と、該突出開口１１と反対する、移動通路１２の他端に形成される第二位置決め凹部１２１とを有し、それら位置決め凹部１２０、１２１は、前記移動通路１２の両側壁部に相対するように間隔をおいて凹設される。
【００４９】
前記本体１０は、互いに組み合わされる２つのハーフ・ケーシングからなってもく、本実施例の本体１０は、前ハーフ・ケーシング１０１と、後ハーフ・ケーシング１０２とからなり、その内、前ハーフ・ケーシング１０１は、一端に前記突出開口１１が形成され、該突出開口１１と反対する他端に結合開口が形成され、一側面に形成される装着孔１０３と、該装着孔１０３の周囲に形成される当接縁部１０４とを備え、一方、該後ハーフ・ケーシング１０２は、一端が該結合開口に挿設されるように該前ハーフ・ケーシング１０１に組み合わされ、該当接縁部１０４に当接される装着部１０５を有するものである。尚、前記移動通路１２は、該装着孔１０３と対応するように、前記後ハーフ・ケーシング１０２の側面に形成されることが好ましい。
【００５０】
本発明の本体１０は、上下側に組み合わされる、或いは、左右側に組み合わされる２つのハーフ・ケーシングからなってもよく、また、その組み合わせ方やケーシングの数量などに制限はなく、単に着脱可能に組み合わせることができるものであればよい。
【００５１】
図３乃至図５に示すように、移動装置１３は、本体１０に収容される細長状のプレート体であり、嵌合凹部１３０と、横孔１３１と、縦孔１３２と、位置決め弾性部材１３３と、第一側板１３４と、第二側板１３５と、２つの導引側板１３６と、芯テープ装着柱１３７とを有する。
【００５２】
その内、前記嵌合凹部１３０は、細長状を呈し、前記移動装置１３の長手方向に沿って移動通路１２と対応する移動装置１３の側面に凹設されるものであり、前記横孔１３１は、前記嵌合凹部１３０よりも短くなるように該嵌合凹部１３０の底面に穿設され、この構成によれば、該嵌合凹部１３０の両端にそれぞれ支持部１３０１が形成されると共に、前記縦孔１３２は、該嵌合凹部１３０と垂直するように移動装置１３の側面に穿設され、該嵌合凹部１３０と横孔１３１とが連通するように構成される。
【００５３】
前記位置決め弾性部材１３３は、長片体を呈し、やや圧縮されてから前記横孔１３１及び縦孔１３２を貫通するように嵌合凹部１３０に位置して前記移動装置１３と連動すると共に、位置決め部１３８と、２つの嵌合部１３９とを備え、該位置決め部１３８は、凸弧状の縦向弾片であり、前記移動通路１２と垂直すると共に、選択可能に前記第一位置決め凹部１２０、或いは第二位置決め凹部１２１と係合され、該２つの嵌合部１３９はそれぞれ、該位置決め部１３８の両側に延設され、且つ前記嵌合凹部１３０の支持部１３０１に設置される。
【００５４】
前記第一側板１３４及び第二側板１３５はそれぞれ前記移動通路１２に収容されるように、前記移動装置１３の側面に延設され、且つ前記位置決め弾性部材１３３の位置決め部１３８の両側に位置し、また、該第一側板１３４は、前記本体１０の突出開口１１と近接する側に位置し、該第二側板１３５は、前記本体１０の突出開口１１と反対する側に位置する。
【００５５】
前記２つの導引側板１３６はそれぞれ、前記第一側板１３４の上部と第二側板１３５の上部との間に設置され、前記第一側板１３４の下部と第二側板１３５の下部との間に設置されてもよく、前記第一側板１３４及び第二側板１３５の上部と下部を連結してもよい。該各導引側板１３６は、前記位置決め弾性部材１３３の位置決め部１３８を収容するために、前記嵌合凹部１３０と面する側部に凹部１３６１が凹設され、前記芯テープ装着柱１３７は、前記移動通路１２と反対する移動装置１３の側面の前端に設けられる。
【００５６】
前記芯テープ装置１４は、交換可能に前記移動装置１３と連動するように、前記移動装置１３の芯テープ装着柱１３７に装着されて前記本体１０に収納されると共に、前記本体１０の突出開口１１と対応する転写ヘッド１４０を有し、該芯テープ装置１４を交換する時は、先ず該本体１０の前ハーフ・ケーシング１０１及び後ハーフ・ケーシング１０２を分離し、使い切った芯テープ装置１４を移動装置１３から取り外し、その後、新たな芯テープ装置１４を移動装置１３の芯テープ装着柱１３７に装着し、該芯テープ装置１４を、移動装置１３及び後ハーフ・ケーシング１０２と一緒に前ハーフ・ケーシング１０１に挿設し、最後に該前ハーフ・ケーシング１０１と後ハーフ・ケーシング１０２とを組み合わせる。
【００５７】
前記ボタン１５は、摺動可能に前記本体１０の移動通路１２に位置すると共に、前記移動装置１３と連動し、更に、このボタン１５は、前記移動通路１２を介して前記第一側板１３４と第二側板１３５との間に位置すると共に、内面に第一凸部１５０及び第二凸部１５１が形成され、これら凸部１５０、１５１が面する箇所にそれぞれ傾斜状を呈する傾斜面が形成され、該傾斜面によって、前記位置決め弾性部材１３３の位置決め部１３８を対応するように収容させる収納凹部１５２を囲む結構がある。
【００５８】
また、本実施例において、芯テープ装置１４の転写ヘッド１４０が本体１０に収納される時は、移動装置１３の位置決め弾性部材１３３の位置決め部１３８が第二位置決め凹部１２１と係合される。更に、本発明に係る薄膜転写具を使用する時は、図６乃至図８に示すように、ボタン１５を移動通路１２上において第一位置決め凹部１２０側に移動させ、該ボタン１５の第二凸部１５１を位置決め弾性部材１３３の位置決め部１３８により押圧して、該位置決め部１３８を弾性によって第二位置決め凹部１２１から離間させる。この時、第一凸部１５０が第一側板１３４に当接されるので、該ボタン１５が移動装置１３及び芯テープ装置１４を突出開口１１に向かって移動させる。その後、前記芯テープ装置１４の転写ヘッド１４０が本体１０の突出開口１１から突出し、移動装置１３の位置決め弾性部材１３３の位置決め部１３８が、弾力によって第一位置決め凹部１２０に係合され、再び該ボタン１５の収納凹部１５２の位置に復位するので、芯テープ装置１４の転写ヘッド１４０を安定的に本体１０の突出開口１１から突出させることできる。
【００５９】
また、本発明に係る薄膜転写具を使用しない場合には、前記ボタン１５を移動通路１２上において第二位置決め凹部１２１側に移動させ、該ボタン１５の第一凸部１５０により位置決め弾性部材１３３の位置決め部１３８を押圧して、位置決め部１３８を弾性によって第一位置決め凹部１２０から離間させる。この時、第二凸部１５１が第二側板１３５に当接されるので、該ボタン１５が移動装置１３及び芯テープ装置１４を突出開口１１と反対する方向に移動させる。その後、前記芯テープ装置１４の転写ヘッド１４０が本体１０の内部に収納され、移動装置１３の位置決め弾性部材１３３の位置決め部１３８が弾力によって第二位置決め凹部１２１に係合されると共に、該ボタン１５の収納凹部１５２の位置に復位するので、該芯テープ装置１４の転写ヘッド１４０を本体１０の内部に収納させることができる。
【００６０】
前記位置決め弾性部材１３３は、移動装置１３に嵌合されると共に、選択可能に本体１０の第一位置決め凹部１２０、或いは、第二位置決め凹部１２１に係合されることから、安定的な位置決め構造であり、突出した転写ヘッド１４０を押圧しながら使用しても、本体１０の内部に押し戻されることはないので、薄膜転写具を安定的に使用することができる。
【００６１】
上述したように、本発明は、芯テープ装置１４の転写ヘッド１４０が本体１０から突出させ、或いは本体１０の内部に収納させる機能を有し、突出された転写ヘッド１４０を押圧しながら用いても本体１０の内部に押し戻されることはないので、転写ヘッド１４０の位置決め効果に優れており、非常に使いやすく、さらに、修正テープが使い切ったら、本体１０を分解して新たな芯テープ装置１４と交換することができる。
【００６２】
図９に示すように、本発明の他の実施例は、第一実施例と異なる移動装置１３Ａと、ボタン１５Ａとを有する点において異なるが、その移動装置１３Ａは、前記移動装置１３と同様に、嵌合凹部１３０Ａと、横孔１３１Ａと、縦孔１３２Ａと、位置決め弾性部材１３３Ａと、芯テープ装着柱１３７Ａとを有するものである。
【００６３】
また、前記移動装置１３Ａは、それぞれ前記位置決め弾性部材１３３Ａの位置決め部１３８Ａの両側に位置するように、前記移動通路１２に面する側面に形成される２つのフレームを有し、該各フレームは、上下対応すると共に、互いに平行する２つのプレートからなり、該移動装置１３Ａの移動通路１２に面する側面に延設され、更に、該位置決め部１３８Ａと反対する側の縁部にＬ字形の当接縁部が凸設される。尚、ここで前記突出開口１１と近接するのは、第一フレーム１３４Ａ、第一プレート、第一当接縁部１３４１Ａであり、前記突出開口１１と反対するのは、第二フレーム１３５Ａ、第二プレート、第二当接縁部１３５１Ａとする。
【００６４】
前記第一フレーム１３４Ａ及び第二フレーム１３５Ａは、それぞれ上下において相対し、且つ互いに平行する第一プレート及び第二プレートからなることから、前記位置決め弾性部材１３３Ａは、該第一フレーム１３４Ａ及び第二フレーム１３５Ａのプレートを通して直接に嵌合凹部１３０に位置する。この構成によれば、前記実施例のように、前記位置決め弾性部材１３３が押圧された時に横孔１３１Ａ及び縦孔１３２を通過して嵌合凹部１３０に位置しなくても、該位置決め弾性部材１３３Ａの形状を維持した状態で簡単に装着することができる。
【００６５】
また、前記ボタン１５Ａは、摺動可能に前記本体１０の移動通路１２に設置されると共に、その内面に、該移動通路１２を貫通し、前記移動装置１３Ａと連動する第一凸部１５０Ａ及び第二凸部１５１Ａが凸設され、その内、該第一凸部１５０Ａは、前記第一フレーム１３４Ａの２つの第一プレートの間に位置すると共に、前記突出開口１１に向かって摺動させると、前記第一当接縁部１３４１Ａに当接することができ、一方、該第二凸部１５１Ａは、前記第二フレーム１３５Ａの２つの第二プレートの間に位置すると共に、前記突出開口１１と反対する側に向かって摺動させると、前記第二当接縁部１３５１Ａに当接することができる。さらに、前記第一凸部１５０Ａと第二凸部１５１Ａとの面する箇所に、前記位置決め弾性部材１３３Ａの位置決め部１３８Ａを収容する傾斜状の収納凹部１５２Ａが形成される。
【００６６】
図１０乃至図１２に示すように、その他の実施例の使用方法は殆ど第一実施例と同一であるが、以下のような特徴有する。即ち、ボタン１５Ａが第一位置決め凹部１２０に向かって移動通路１２上を移動する時、第一凸部１５０Ａは、第一フレーム１３４Ａの第一当接縁部１３４１Ａに当接されるので、移動装置１３Ａを前側に移動させることができる。一方、前記ボタン１５Ａが第二凸部１２１に向かって移動通路１２上を移動する時は、第二凸部１５１Ａが第二フレーム１３５Ａの第二当接縁部１３５１Ａに当接されるので、移動装置１３Ａを後側に移動させることができる。
【００６７】
図１３及び図１４に示すように、本発明に係る薄膜転写具における本体１０は、突出開口１１と反対する他端に形成される設置凹部１６と、収容開口とを有し、本実施例の設置凹部１６及び収容開口は、後ハーフ・ケーシング１０２に形成されると共に、該本体１０の設置凹部１６の内面に係合部１７が形成され、該係合部１７は、該収容開口と反対する設置凹部１６の内面両側に相対するように設けられる。尚、前記係合部１７は、２対の係合凹部であり、該各対の係合凹部はそれぞれ、該設置凹部１６の内面両側に凹設されることが好ましい。
【００６８】
前記固定装置２０は、中空の長方形ケーシングであり、脱着可能に前記本体１０の前記芯テープ装置１４の転写ヘッド１４０と反対する設置凹部１６に設置され、開口と、挟持部２１と、止め縁部２２と、導引部２３とを備え、その内、該開口は、前記本体１０と反対する外端に形成され、該挟持部２１は、引き出し可能に前記本体１０の設置凹部１６に設置され、該開口と近接する側を外端とし、該開口と反対する側を内端とし、相対する側壁における中央に横方向に弾性溝部２１０が形成されると共に、該挟持部２１が２つのハーフ・フレームに分割され、この２つのハーフ・フレームは、弾力を備えるので、やや該弾性溝部２１０側に向かって湾曲させることが可能である。また、前記固定装置２０は、本体１０から離脱しないようにするために、それぞれ該２つのハーフ・フレームの外面に形成されると共に、該本体１０の係合部１７に係合される結合部２１１がある。尚、前記結合部２１１は、２対の位置決めポイントであり、該各対の位置決めポイントはそれぞれ、ハーフ・フレームの内端の外面両側に凸設されると共に、それぞれ前記係合凹部に係合されることが好ましい。
【００６９】
前記挟持部２１における、ハーフ・フレームと対応する上面中央及び下面中央にそれぞれ弾力アーム２１２が設けられ、該各弾力アーム２１２は、一端がハーフ・フレームの内端と一体成形に連接されると共に、他端が挟持部２１の外端に延設され、更に、他端の外面に消しゴム４０を挟持するための押圧凸部２１３が凸設される。尚、前記押圧凸部２１３は、前記本体１０の設置凹部１６の内面に当接されると共に、弾性を備えることから、やや挟持部２１の内側に向かって湾曲するので、消しゴム４０を挟持固定することができる。
【００７０】
前記止め縁部２２は、矩形の環状フレームであり、前記挟持部２１の外端に周設され、且つ前記設置凹部１６の収容開口に位置するように前記本体１０に当接されるものである。
【００７１】
前記導引部２３は、矩形のフレームを呈し、前記挟持部２１の外端に形成されると共に、前記止め縁部２２から外側に延出するものであり、この構成によれば、前記固定装置２０の開口と挟持部２１との間に適当な距離が形成されることから、消しゴム４０を保持することができると共に、消しゴム４０の擦りによる変形を抑え、さらに、消しゴム４０の挟持部２１からの離脱を防ぐと共に、激しい変形による消しゴム４０の破壊も防止することができる。
【００７２】
前記キャップ３０は、本体１０の他端における、前記固定装置２０に脱着可能に設置され、前記止め縁部２２と組み合わせることによって、前記固定装置２０をカバーするので、消しゴム４０を常に清潔に保つことができる。
【００７３】
本発明に係る固定装置２０を使用する時は、先ず固定装置２０を本体１０から引き出し、細長状の消しゴム４０が固定装置２０に挿設されると、固定装置２０及び消しゴム４０が一緒に本体１０の設置凹部１６に押し込まれる。この時、２つの押圧凸部２１３が本体１０の設置凹部１６の内面に押圧されることから、２つの弾力アーム２１２がやや内側に移動して消しゴム４０の内端を挟持し、消しゴム４０を安定的に固定する。更に、前記消しゴム４０の中段は、導引部２３に当接されるように保持されると共に、外端は、やや導引部２３から突出して擦り端となる。この構成によれば、前記固定装置２０の導引部２３を有することから、前記消しゴム４０を使用する時、擦り力を受けた消しゴム４０の固定装置２０の挟持部２１からの離脱を防止できると共に、激しい変形も防ぐことができる。
【００７４】
さらに、前記消しゴム４０の擦り端の長さの不足や、割れなどにより、交換が必要な場合には、前記固定装置２０を本体１０の設置凹部１６から引き出し、使用者の好みに応じて消しゴム４０の突出長さを調整し、或いは、新たな消しゴム４０と交換するが、その時は、単に調整した或いは新しい消しゴム４０を固定装置２０と一緒に本体１０の設置凹部１６に挿設するだけで、簡単に消しゴム４０を調整或いは交換することができるので、使用上、非常に便利である。
【００７５】
図１５乃至図１７に示すように、本発明の第二実施例は、本体１０Ａと、固定装置２０Ａと、キャップ３０Ａとを有し、その内、該本体１０Ａは、殆ど前記第一実施例と同一であるが、以下のような特徴を有する。即ち、設置凹部１６Ａにおける相対する内面にそれぞれ係合部１７Ａが設けられ、該係合部１７Ａはそれぞれ、設置凹部１６Ａの内面に向かって延設されたフック状の片体である。
【００７６】
前記固定装置２０Ａは、中空の矩形フレームであり、挟持部２１Ａと、導引部２３Ａとを有し、その内、該挟持部２１Ａは、着脱可能に本体１０Ａの設置凹部１６Ａに設置されると共に、相対する２つの挟み片体を有し、その２つの挟み片体にそれぞれ、内側に向かって面するような押し縁部２１０Ａが延設され、この押し縁部２１０Ａが消しゴム４０の内端に当設されるので、消しゴム４０を押して外側へ移動させることができる。
【００７７】
前記挟み片体は、その中段に前記本体１０Ａの係合部１７Ａに係合される結合部２１１Ａが設けられるので、固定装置２０Ａの本体１０Ａからの離脱を防ぐことができる。尚、前記結合部２１１Ａにおける各対の位置決めポイントはそれぞれ、前記係合部１７Ａに係合されるように、前記挟持部２１Ａの挟み片体の両側外側面中央に凸設されることが好ましい。
【００７８】
さらに、前記２つの挟み片体はそれぞれ弾力アーム２１２Ａを有し、該各弾力アーム２１２Ａの内端は、該挟み片体と一体成形に連接されると共に、外面に当接縁部２１４Ａが凸設され、更に、該各弾力アーム２１２Ａの外端に押圧凸部２１３Ａが凸設され、この押圧凸部２１３Ａは、本体１０Ａの設置凹部１６Ａ或いは係合部１７Ａの内面に押圧されることから、該弾力アーム２１２Ａが弾性によって、挟持部２１Ａの内部側に向かって湾曲移動するので、消しゴム４０を安定的に挟持固定することができる。
【００７９】
前記導引部２３は、矩形のフレームであり、前記挟持部２１Ａの外端に形成されると共に、前記本体１０Ａにおける設置凹部１６Ａの収容開口に位置し、且つ外側に延出する形状であることから、前記固定装置２０Ａの開口と挟持部２１Ａとの間に適当な距離が形成されるので、消しゴム４０を保持することができると共に、該消しゴム４０の擦りによるの変形を防ぎ、さらに、該消しゴム４０が挟持部２１Ａから脱落することを防ぐと共に、変形による消しゴム４０の破壊を防止することができる。
【００８０】
前記キャップ３０Ａは、本体１０Ａの他端における、前記固定装置２０Ａに脱着可能に設置され、前記導引部２３Ａと組み合わせることによって、前記固定装置２０Ａをカバーするので、消しゴム４０を常に清潔に保つことができる。
【００８１】
本発明に係る第二実施例の使用方法は、殆ど第一実施例と同一であるが、消しゴム４０の調整方法が異なるので、以下にて説明する。
【００８２】
消しゴム４０の擦り端の長さの不足や、割れなどにより、交換が必要な場合には、先ず弾力アーム２１２Ａの当接縁部２１４Ａを本体１０Ａの係合部１７Ａに係合させると共に、固定装置２０Ａを本体１０Ａから離脱しないように、固定装置２０Ａをやや外側へ引き出す。この時、前記係合部１７Ａが当接縁部２１４Ａと結合部２１１Ａとの間に位置するように制限されるので、固定装置２０Ａの不必要な移動を防ぐことができる。そして、挟み片体の押圧凸部２１３Ａを本体１０Ａの外部に移動させると、係合部１７Ａの内面に当接されない状態となり、挟持部２１Ａの２つの挟み片体が消しゴム４０の挟持から解放され、消しゴム４０の突出長さを自由に調整することができるようになり、或いは、新たな消しゴム４０に交換することが可能となる。その後、再び固定装置２０Ａを本体１０Ａの設置凹部１６Ａに押し込み、結合部２１１Ａを本体１０Ａの係合部１７Ａに係合させれば、消しゴム４０の調整、或いは、交換作業が完了となる。
【００８３】
図１８乃至図２０に示すように、本発明の第三実施例は、脱着可能な回転式消しゴム固定装置を備える薄膜転写具であり、本体１０Ｂと、固定装置２０Ｂと、キャップ３０Ｂとを有し、その内、該本体１０Ｂは、前記第一実施例と同一であるから、ここでの説明を省略する。
【００８４】
前記固定装置２０Ｂは、脱着可能に本体１０Ｂの設置凹部１６Ｂに挿設され、ケース２１Ｂと、止め縁部２２Ｂと、導引管２３Ｂと、移動部材２４Ｂと、回転管２５Ｂとを有し、その内、該ケース２１Ｂは、引き出し可能に前記本体１０Ｂの設置凹部１６Ｂに設置されると共に、側面中央に横方向に弾性溝部２１０Ｂが形成され、更に２つのハーフ・フレームに分割されるものであり、この２つのハーフ・フレームは弾力を備えるので、該弾性溝部２１０Ｂに撓ることができる。また、前記２つのハーフ・フレームは、固定装置２０Ｂが本体１０Ｂから離脱しないようにするために、それぞれ内端外面に形成されると共に、前記本体１０Ｂの係合部１７Ｂに係合される結合部２１１Ｂを備える。尚、前記結合部２１１Ｂは、２対の位置決めポイントであり、該各対の位置決めポイントはそれぞれ、ハーフ・フレームの一端付近の外面両側に凸設されることが好ましい。
【００８５】
前記止め縁部２２Ｂは、矩形のフレームであり、前記ケース２１Ｂの外端に周設されると共に、前記設置凹部１６Ｂの収容開口に位置するように前記本体１０Ｂに当接されるものである。
【００８６】
前記導引管２３Ｂは、前記実施例の導引部のことであり、前記ケース２１Ｂと離間するように、ケース２１Ｂの内部に位置し、内端が前記ケース２１Ｂの内端と連接すると共に、他端がケース２１Ｂから外端へ止め縁部２２Ｂを通過して突出し、即ち、前記本体１０Ｂからやや突出するものであり、また、消しゴムを挿設するための、内部に矩形断面を有する細長状の通路２３０Ｂが形成されると共に、対応する両側の側壁にそれぞれ長手方向に沿って導引溝部２３１Ｂが形成され、その２つの導引溝部２３１Ｂはそれぞれ、前記ケース２１Ｂに形成された弾性溝部２１０Ｂと対応すると共に、該ケース２１Ｂの内端から外端に向かって止め縁部２２Ｂの外側に設けられる。
【００８７】
前記移動部材２４Ｂは、前記実施例の挟持部のことであり、前記導引溝部２３１Ｂに沿うように摺動可能に導引管２３Ｂの通路２３０Ｂに設置されると共に、矩形の板体２４０Ｂと、２つの挟持翼片２４１Ｂとを備え、その内、該板体２４０Ｂは、形状が通路２３０Ｂと対応するように前記導引管２３Ｂの通路２３０Ｂに設置され、該２つの挟持翼片２４１Ｂはそれぞれ該板体２４０Ｂの両側に形成されると共に、該導引管２３Ｂの導引溝部２３１Ｂと対応するように設置され、更に、該各挟持翼片２４１Ｂの外側面に螺合凸歯２４２Ｂが凸設されると共に、内側面に消しゴム４０の内端を挟持するための押圧凸部２４３Ｂが凸設される。
【００８８】
前記回転管２５Ｂは、円筒状の管体であり、前記ケース２１Ｂの内部に収容されるように、回転可能に導引管２３Ｂに環装されると共に、内周面に、前記移動部材２４Ｂの挟持翼片２４１Ｂにおける螺合凸歯２４２Ｂに螺合されるねじ山２５０Ｂが形成され、外端には、本体１０Ｂから突出する回転環部２５１Ｂが設けられる。この構成によれば、該回転環部２５１Ｂを回転させると、移動部材２４Ｂが移動して消しゴム４０の突出する長さを調整することができる。なお、前記回転環部２５１Ｂは、前記導引管２３Ｂとケース２１Ｂとの間に位置すると共に、止め縁部２２Ｂに当接される。
【００８９】
前記キャップ３０Ｂは、前記第一実施例と同一であるから、ここでの説明を省略する。
【００９０】
本発明の第三実施例を使用する時は、細長状の消しゴム４０を固定装置２０Ｂの導引管２３Ｂの通路２３０Ｂに挿設し、該消しゴム４０の内端を移動部材２４Ｂの板体２４０Ｂに当接させると共に、両側の挟持翼片２４１Ｂの押圧凸部２４３Ｂに挟持させることにより、該消しゴム４０の外端を回転管２５Ｂから突出させて擦り端をと露出させる。この構成によれば、前記消しゴム４０の中段が導引管２３Ｂの内周壁に制限されることから、擦り力による変形で固定装置２０Ｂから離脱することを防止できると共に、変形による破壊も防ぐことができる。
【００９１】
さらに、前記消しゴム４０の擦り端の長さの不足や、割れなどにより、交換が必要な場合には、前記回転管２５Ｂの回転環部２５１Ｂを回転させ、前記ねじ山２５０Ｂを移動部材２４Ｂの２つの挟持翼片２４１Ｂの螺合凸歯２４２Ｂに締め込むことにより、該移動部材２４Ｂを導引管２３Ｂに沿って導引溝部２３１Ｂの外端に向かって移動させて、該消しゴム４０の擦り端の長さを調整する。また、新たな消しゴム４０に交換する時には、前記回転管２５Ｂの回転環部２５１Ｂを回転させ、もとの消しゴム４０を開口へ移動させてから取り外せば、簡単に新しい消しゴム４０と交換することができる。
【００９２】
また、前記回転管２５Ｂを逆方向に回転させれば、前記移動部材２４Ｂが消しゴム４０の内端を挟持しながら回転管２５Ｂのねじ山２５０Ｂに螺合されると共に、前記導引溝部２３１Ｂの内端に向かって移動するので、前述したように、消しゴム４０の擦り端の長さを調整することができる。
【００９３】
図２１に示すように、本発明の第四実施例は、脱着不能な回転式消しゴム固定装置を備える薄膜転写具であり、その殆どは前記第三実施例と同一であるが、異なる部分は以下の通りである。即ち、固定装置２０Ｃにおけるケース２１Ｃ及び導引管２３Ｃは、一体成形により本体１０Ｃに形成されるものであり、また、消しゴム４０の清潔さを保つために固定装置２０Ｃをカバーするための、本体１０Ｃに脱着可能に設置されるキャップ３０Ｃを有するが、止め縁部は省略しても構わなく、或いは、固定装置２０Ｃのケース及び止め縁部を省略し、導引管２３Ｃを離間するように本体１０Ｃに形成すると共に、移動部材２４Ｃを移動可能に導引管２３Ｃの通路２３０Ｃに設置し、回転管２５Ｃを回転可能に本体１０Ｃと導引管２３Ｃとの間に位置させてもよい。尚、第四実施例の使用方法及び効果は、第三実施例と同一であるので、その説明を省略する。
【００９４】
図２２乃至図２５に示すように、本発明の第五実施例は、芯テープ装置１４Ｄ及び消しゴム４０の引き出し、或いは押し込みを制御可能な統合部材を有し、この統合部材は、移動装置１３Ｄと、ボタン１５Ｄと、位置決め弾性部材１３３Ｄとを一体成形にし、芯テープ装置１４Ｄと、消しゴム４０を装着する固定装置２０Ｄとを嵌め込み式にしたものである。
【００９５】
第五実施例は、本体１０Ｄと、固定装置２０Ｄとを有し、該本体１０は、中空の長形状を呈し、一端に突出開口１１Ｄが形成され、一側面に細長状の移動通路１２Ｄが穿設され、該移動通路１２Ｄは、該突出開口１１Ｄと反対する端に貫通され、更に、該移動通路１２Ｄの両側にそれぞれ相対するようにレール１２３Ｄが設けられ、該２つのレール１２３Ｄにそれぞれ、間隔をおいて複数の位置決め凹部が凹設されるものである。尚、その複数の位置決め凹部は、本実施例において、３つの位置決め凹部を例として本発明を説明する、且つ、該突出開口１１Ｄから他端まで順次に第一位置決め凹部１２０Ｄと、第二位置決め凹部１２１Ｄと、第三位置決め凹部１２２Ｄとを有する。
【００９６】
前記統合部材は、摺動可能に移動通路１２Ｄに設置され、一体成形の移動装置１３Ｄと、ボタン１５Ｄと、位置決め弾性部材１３３Ｄとを有し、その内、該移動装置１３Ｄは、長形プレートであり、該移動通路１２Ｄと対応するように本体１０Ｄに収容され、前記突出開口１１Ｄと近接する端を当接前端１３０Ｄとし、前記突出開口１１Ｄと反対する他端を結合後端１３１Ｄとし、中段に位置決め収容孔１３２Ｄが形成されるものである。
【００９７】
前記ボタン１５Ｄは、可撓性を有するから変形することでき、その一端に移動装置１３Ｄと連接する横方向の連接段が形成され、該連接段の上下の相対する両側にそれぞれ前記レール１２３Ｄと対応する切欠き口１５０Ｄが形成され、ボタン１５Ｄの上下の相対する両側にそれぞれ、押圧されると該切欠き口１５０Ｄと一直線に排列される弾性対応凹部１５１Ｄが形成され、該ボタン１５Ｄの他端は、位置決め収容孔１３２Ｄ側まで延出される。
【００９８】
前記位置決め弾性部材１３３Ｄは、前記ボタン１５Ｄにおける連接段と反対する端の内面に一体成形により形成されると共に、選択可能に前記位置決め収容孔１３２Ｄ、第一位置決め凹部１２０Ｄ、第二位置決め凹部１２１Ｄ、或いは第三位置決め凹部１２２Ｄの何れか１つの位置決め凹部に係合される位置決め部１３８Ｄが設けられるものである。
【００９９】
前記芯テープ装置１４Ｄは、前端に前記突出開口１１Ｄと対応する転写ヘッド１４０Ｄが形成され、前記統合部材と面する側の前端に形成されると共に、前記移動装置１３Ｄの当接前端１３０Ｄに係合される装着部１４１Ｄと、前記統合部材と面する側の後端に形成されると共に、前記移動装置１３Ｄの結合後端１３１Ｄに係合される組合部１４２Ｄとを備え、この構成によれば、該芯テープ装置１４Ｄは、前記統合部材との組み合わせにより連動することができる。
【０１００】
前記固定装置２０Ｄは、前記芯テープ装置１４Ｄの後端に設置され、挟持部２１Ｄと、導引部２３Ｄとを備え、その内、該挟持部２１Ｄは、前記芯テープ装置１４Ｄの後端に一体成形により形成されると共に、消しゴム４０の後端を挟持することができ、一方、該導引部２３Ｄには、脱着可能に該挟持部２１Ｄ及び本体１０Ｄに設置されると共に、消しゴム４０を内周面に当接させてガイドすることができ、更に後端面に消しゴム４０を引き出せる開口が形成される。
【０１０１】
図２４及び図２５に示すように、第五実施例の使用しない状態においては、ボタン１５Ｄが移動通路１２Ｄの中段に位置し、即ち、位置決め部１３８Ｄが第二位置決め凹部１２１Ｄに係合される。一方、使用時には、図２６及び図２７に示すように、先ずボタン１５Ｄを押圧し、位置決め部１３８Ｄを第二位置決め凹部１２１Ｄから離間させて位置決め収容孔１３２Ｄに位置させる。この時、ボタン１５Ｄは押圧されているので、やや傾斜状態となり、２つの弾性対応凹部１５１Ｄがそれぞれ２つの切欠き口１５０Ｄと対応し、レール１２３Ｄに位置して移動通路１２Ｄに沿って第一位置決め凹部１２０Ｄに向かって摺動することができる。また、移動装置１３Ｄは、芯テープ装置１４Ｄと一緒に移動するので、転写ヘッド１４０Ｄを突出開口１１Ｄから突出させることができ、位置決め部１３８Ｄが第一位置決め凹部１２０Ｄと対応するように移動すると、位置決め部１３８Ｄが弾性によって第一位置決め凹部１２０Ｄに復位する故に、転写ヘッド１４０Ｄが安定的に本体１０Ｄから突出した状態を維持することができる。また、転写ヘッド１４０Ｄを本体１０Ｄの内部に収納する時は、再びボタン１５Ｄを押圧し、位置決め部１３８Ｄを第一位置決め凹部１２０Ｄから離脱させてから移動通路１２Ｄに沿って移動させ、第二位置決め凹部１２１Ｄに係合させると、転写ヘッド１４０Ｄの収納が完了する。
【０１０２】
一方、図２６及び図２８に示すように、消しゴムの機能を使用する時は、先ずボタン１５Ｄを押圧し、位置決め部１３８Ｄを第二位置決め凹部１２１Ｄから離脱させて移動通路１２Ｄに沿って第三位置決め凹部１２２Ｄに向かって摺動させる。この時、移動装置１３Ｄは、芯テープ装置１４Ｄと連動することから、挟持部２１Ｄに設置された消しゴム４０を導引部２３Ｄの開口から押し出させることができる。そして、位置決め部１３８Ｄが第三位置決め凹部１２２Ｄと対応すると、位置決め部１３８Ｄがが弾性によって第三位置決め凹部１２２Ｄに復位し、消しゴム４０を安定的に固定装置２０Ｄから突出させた状態を維持する。尚、消しゴムの収納は、同様の原理であるため、その説明を省略する。
【０１０３】
なお、前記第三位置決め凹部１２２Ｄと本体１０Ｄの突出開口１１Ｄと反対する端との間に、さらに複数の位置決め凹部を形成すると共に、統合部材が固定装置２０Ｄの挟持部２１Ｄを押し出す段階数を増加することにより、消しゴム４０の擦り端の長さを多数段の調整が可能なものとしても構わない。
【０１０４】
前記実施例のように、本発明の固定装置２０は、消しゴム４０の長さ調整、又は、交換機能を備え、使用するときは、消しゴム４０を本体１０から突出させて使用すると共に、使用し終わると、また、本体１０に収納することができるので、使用者の必要に応じて使うことができる。また、本発明の構成によれば、消しゴム４０の交換が非常に簡単であり、単に固定装置２０を引き出し、或いは、回転管を回転させて、もとの消しゴム４０を取り外して新たな消しゴム４０に交換するだけでよいので、実用性に優れている。
【０１０５】
さらに、本発明の固定装置２０は、挟持部２１と、導引部２３とを有することから、該挟持部２１によって消しゴム４０の内端をしっかりと挟持するので、消しゴム４０の本体１０からの脱落を防止でき、また、導引部２３によっても、消しゴム４０の擦り力による変形を抑えるので、消しゴム４０の本体１０からの脱落をより防ぐと共に、消しゴム４０の変形を極力抑えることができる。
【０１０６】
上記実施例は、本発明の好適な実施の形態を示したものにすぎず、本発明の技術的範囲は、上記実施例そのものに何ら限定されるものではない。
【産業上の利用可能性】
【０１０７】
上述したように、本発明に係る位置決め可能なボタンを備える薄膜転写具は上記の構成を有することから、位置決め可能なボタンによって転写ヘッドの突出や収納状態を制御すると共に、消しゴムを装着可能な固定装置によって消しゴムの調整及び交換が可能な、簡単に使用することができる薄膜転写具を提供する。
【符号の説明】
【０１０８】
１０、１０Ａ、１０Ｂ、１０Ｃ、１０Ｄ本体
１０１前ハーフ・ケーシング
１０２後ハーフ・ケーシング
１０３装着孔
１０４当接縁部
１０５装着部
１１、１１Ｄ突出開口
１２、１２Ｄ移動通路
１２０、１２０Ｄ第一位置決め凹部
１２１、１２１Ｄ第二位置決め凹部
１２２Ｄ第三位置決め凹部
１２３Ｄレール
１３、１３Ａ、１３Ｄ移動装置
１３０、１３０Ａ嵌合凹部
１３０Ｄ当接前端
１３０１支持部
１３１、１３１Ａ横孔
１３１Ｄ結合後端
１３２、１３２Ａ縦孔
１３２Ｄ位置決め収容孔
１３３、１３３Ａ、１３３Ｄ位置決め弾性部材
１３４第一側板
１３４Ａ第一フレーム
１３４１Ａ第一当接縁部
１３５第二側板
１３５Ａ第二フレーム
１３５１Ａ第二当接縁部
１３６導引側板
１３６１凹部
１３７、１３７Ａ芯テープ装着柱
１３８、１３８Ａ、１３８Ｄ位置決め部
１３９嵌合部
１４、１４Ｄ芯テープ装置
１４０、１４０Ｄ転写ヘッド
１４１Ｄ装着部
１４２Ｄ組合部
１５、１５Ａ、１５Ｄボタン
１５０、１５０Ａ第一凸部
１５０Ｄ切欠き口
１５１、１５１Ａ第二凸部
１５１Ｄ弾性対応凹部
１５２収納凹部
１６、１６Ａ、１６Ｂ設置凹部
１７、１７Ａ、１７Ｂ係合部
２０２０Ａ、２０Ｂ、２０Ｃ、２０Ｄ固定装置
２１、２１Ａ、２１Ｂ、２１Ｃ、２１Ｄ挟持部
２１０、２１０Ａ、２１０Ｂ弾性溝部
２１１、２１１Ａ、２１１Ｂ結合部
２１２、２１２Ａ弾力アーム
２１３、２１３Ａ押圧凸部
２２、２２Ｂ止め縁部
２３、２３Ａ、２３Ｂ、２４Ｄ導引部
２３Ｂ、２３Ｃ導引管
２３０Ｂ、２３０Ｃ通路
２３１Ｂ導引溝部
２４Ｂ、２４Ｃ移動部材
２４０Ｂ板体
２４１Ｂ挟持翼片
２４２Ｂ螺合凸歯
２４３Ｂ押圧凸部
２５Ｂ、２５Ｃ回転管
２５０Ｂねじ山
２５１Ｂ回転環部
３０、３０Ａ、３０Ｂキャップ
４０消しゴム
５０ケーシング
５１芯テープ装置
５３導引溝部
５３０第一係合凹
５３１第二係合凹部
５４ボタン
５４０弾性位置決め部材
６０本体
６１収容凹部
６２消しゴム
６３キャップ
【図１】
0005157021.tif 000002
【図２】
0005157021.tif 000003
【図３】
0005157021.tif 000004
【図４】
0005157021.tif 000005
【図５】
0005157021.tif 000006
【図６】
0005157021.tif 000007
【図７】
0005157021.tif 000008
【図８】
0005157021.tif 000009
【図９】
0005157021.tif 000010
【図１０】
0005157021.tif 000011
【図１１】
0005157021.tif 000012
【図１２】
0005157021.tif 000013
【図１３】
0005157021.tif 000014
【図１４】
0005157021.tif 000015
【図１５】
0005157021.tif 000016
【図１６】
0005157021.tif 000017
【図１７】
0005157021.tif 000018
【図１８】
0005157021.tif 000019
【図１９】
0005157021.tif 000020
【図２０】
0005157021.tif 000021
【図２１】
0005157021.tif 000022
【図２２】
0005157021.tif 000023
【図２３】
0005157021.tif 000024
【図２４】
0005157021.tif 000025
【図２５】
0005157021.tif 000026
【図２６】
0005157021.tif 000027
【図２７】
0005157021.tif 000028
【図２８】
0005157021.tif 000029
【図２９】
0005157021.tif 000030
【図３０】
0005157021.tif 000031
【図３１】
0005157021.tif 000032